(57)【要約】【課題】保護管の破損を検知する機能を設けた液体処理装置を提供する。【解決手段】  液体処理装置は、紫外線を放射し第一方向に延伸する部分を有するランプと、ランプの外周を取り囲むように配置されランプから放射される紫外線に対して透光性を有する材料からなる保護管と、保護管の外周を取り囲むように配置された筐体とを有する。筐体は、保護管の外側面よりも外側の位置に設けられた中空部と、中空部に連絡され、相互に離間して設けられた第一開口部及び第二開口部と、第一方向に係る端部に設けられた蓋部とを有する。液体処理装置は、蓋部の外側の面に直接接触して、又は他の部材を介して間接的に接触して設けられた漏液検知器を備える。【選択図】        図１
2018043182.tif 000002
【特許請求の範囲】
【請求項１】
紫外線を放射し、第一方向に延伸する部分を有するランプと、
前記ランプの外周を取り囲むように配置され、前記ランプから放射される紫外線に対して透光性を有する材料からなる保護管と、
前記保護管の外周を取り囲むように配置された筐体とを有し、
前記筐体は、
前記保護管の外側面よりも外側の位置に設けられた中空部と、
前記中空部に連絡され、相互に離間して設けられた第一開口部及び第二開口部と、
前記第一方向に係る端部に設けられた蓋部とを有し、
前記蓋部の外側の面に直接接触して、又は他の部材を介して間接的に接触して設けられた漏液検知器を備えたことを特徴とする液体処理装置。
【請求項２】
前記蓋部の外側の面に接触して設けられ、前記蓋部よりも熱伝導率が低い材料からなるスペーサを有し、
前記漏液検知器は、前記スペーサを介して前記蓋部の外側の面に間接的に接触して配置されていることを特徴とする請求項１に記載の液体処理装置。
【請求項３】
貯水タンクから被処理液を汲み出し、再び前記貯水タンクに戻すためのポンプを有し、
駆動時において、前記貯水タンクから汲み出された前記被処理液は、前記第一開口部より前記筐体の前記中空部に導かれると共に、前記中空部内を前記ランプから放射された紫外線が照射された状態で前記第一方向に沿って移動した後、前記第二開口部から取り出されて再び前記貯水タンクに注水される構成であることを特徴とする請求項１又は２に記載の液体処理装置。
【請求項４】
前記ランプに対して電力を供給するための電源部と、
前記漏液検知器が漏液を検知すると、前記ポンプに対して駆動を停止すると共に、前記電源部に対して放電ランプに対する電源供給を停止する制御を行う制御部とを備えたことを特徴とする請求項３に記載の液体処理装置。
【発明の詳細な説明】
【技術分野】
【０００１】
本発明は液体処理装置に関し、特に、紫外線を用いた液体処理装置に関する。
【背景技術】
【０００２】
紫外線光源から放射された紫外線を水に照射して、水に含まれる細菌を不活性化（殺菌）する技術が知られている（例えば、下記特許文献１参照）。
【０００３】
図７及び図８は、特許文献１に記載されている水処理装置の模式的な概念図である。この水処理装置９０は、ステンレス製の処理筒９１の内部に、紫外線ランプ９２を内蔵した石英ガラス製の透過筒９３が配置されている。この透過筒９３の外側には流路９４が形成され、この流路９４には、紫外線に対して透過性を有する樹脂性の仕切り板９５が複数枚付設されている。
【０００４】
仕切り板９５は、その一端が透過筒９３の側面に接し、他端が処理筒９１の内面に接するように構成されている。仕切り板９５は、透過筒９３を中心として複数枚が放射状に配置されており（図８参照）、これによって複数の流路９４が形成されている。
【０００５】
流体が流入管９８より処理筒９１に流入されると、複数の仕切り板９５によって仕切られることで形成された複数の流路９４内を流れながら、紫外線ランプ９２から放射された紫外線が照射された後、流出管９９より外部に流出される。
【先行技術文献】
【特許文献】
【０００６】
【特許文献１】実開平５−４９０９４号公報
【発明の概要】
【発明が解決しようとする課題】
【０００７】
ところで、ランプを内蔵する保護管（透過筒９３）は、紫外線を透過すること、及び不純物の溶出可能性が低い材料からなることが要求される。このため、例えば特許文献１に記載されているように、保護管の材料としてはガラスが好適に用いられる。しかし、ガラスは一般的に破損しやすく、特に微細なヒビが存在すると破損しやすくなる。
【０００８】
保護管にヒビが入ったり、破損したりすると、処理対象である水などの液体（以下、「被処理液」という。）が保護管内に流入する。このような事象が生じると、ランプが被処理液に晒されてしまい、破損するリスクが高まる。また、ランプの表面に付着している不純物が被処理液に混入してしまい、被処理液が汚染されるおそれがある。ランプは被処理液に直接接触することが想定されていないので、ランプの表面に対する不純物の除去という工程は通常行われない。
【０００９】
本発明は、上記の課題に鑑み、保護管の破損を検知する機能を設けた液体処理装置を提供することを目的とする。
【課題を解決するための手段】
【００１０】
本発明に係る液体処理装置は、
紫外線を放射し、第一方向に延伸する部分を有するランプと、
前記ランプの外周を取り囲むように配置され、前記ランプから放射される紫外線に対して透光性を有する材料からなる保護管と、
前記保護管の外周を取り囲むように配置された筐体とを有し、
前記筐体は、
前記保護管の外側面よりも外側の位置に設けられた中空部と、
前記中空部に連絡され、相互に離間して設けられた第一開口部及び第二開口部と、
前記第一方向に係る端部に設けられた蓋部とを有し、
前記蓋部の外側の面に直接接触して、又は他の部材を介して間接的に接触して設けられた漏液検知器を備えたことを特徴とする。
【００１１】
上記構成の液体処理装置によれば、被処理液が第一開口部から筐体の中空部内に流入する。被処理液は、筐体に設けられている中空部内を第一方向に沿って移動し、この間にランプから放射された紫外線が保護管を透過して照射されることで処理が行われる。そして、紫外線処理が施された液体は、第二開口部から装置外へと流出される。すなわち、液体処理装置によって被処理液に対して処理を行っている間、筐体内の中空部内、すなわち保護管の外側には被処理液が存在している。
【００１２】
仮に保護管にヒビが入ったり破損したりすると、保護管の外側に存在している被処理液が、当該ヒビや破損部を通じて保護管の内部に流入する。このヒビや破損部が保護管の内側に達している場合には、被処理液がランプにまで達してしまう。
【００１３】
上記の構成によれば、このような場合であっても、被処理液がランプと保護管の隙間を通じて第一方向に移動し、やがて端部に設けられた蓋部に達する。蓋部まで達した被処理液は、微細な隙間を通じて蓋部の外側に流出する。このとき、蓋部の外側に設けられた漏液検知器によって、被処理液が漏れ出ていることが検知される。
【００１４】
つまり、漏液検知器によって被処理液が蓋部の外側に達したことを検知すると、保護管にヒビや割れが生じている可能性が高いことを認識できる。従って、例えば、漏液検知器が漏液を検知した時点において、放電ランプの発光を停止したり、被処理液の注水を停止することで、ランプの破損や被処理液への汚染が未然に防止される。
【００１５】
一例として、筐体には、第一方向に沿った貫通孔が形成されており、この貫通孔に中空状の保護管が挿入され、保護管の内側にランプが挿入されているものとすることができる。また、蓋部には、ランプよりも径が大きく、当該蓋部を貫通する孔部を有するものとすることができる。このような構成とすることで、蓋部を取り付けたままの状態でランプの交換を行うことができる。
【００１６】
漏液検知器は、任意のセンサが利用され得る。一例として、電極間抵抗検知方式のライン状センサを利用することができる。
【００１７】
ランプの形状は任意であるが、一例として、第一方向に延伸する直管形状のランプを採用することができる。また、ランプは、１７０ｎｍ以上３５０ｎｍ以下の波長の光を放射できる構成であるのが好ましく、１９０ｎｍ以上３００ｎｍ以下の波長の光を放射できる構成であるのがより好ましい。
【００１８】
前記液体処理装置は、更に、前記蓋部の外側の面に接触して設けられ、前記蓋部よりも熱伝導率が低い材料からなるスペーサを有し、
前記漏液検知器は、前記スペーサを介して前記蓋部の外側の面に間接的に接触して配置されているものとしても構わない。
【００１９】
蓋部が、例えば金属などの熱伝導率の高い材料で構成されている場合について検討する。このとき、液体処理装置が設置されている環境温度によっては、蓋部の外側の面が結露する可能性がある。もし結露が発生すると、漏液検知器が結露に伴う水滴を検知してしまい、保護管にヒビや破損が発生していると誤って判断されてしまうおそれがある。
【００２０】
上記構成のように、蓋部よりも熱伝導率の低い材料からなるスペーサを介して、蓋部の外側の面に漏液検知器が配置されることで、仮に蓋部の外側の面において結露が生じても、この結露に伴う水滴が漏液検知器によって検知されるおそれを大きく低下させることができる。この結果、漏液検知器が液体を検知すると、保護管にヒビや割れが生じている可能性が極めて高いことが認識される。
【００２１】
前記液体処理装置は、貯水タンクから被処理液を汲み出し、再び前記貯水タンクに戻すためのポンプを有し、
駆動時において、前記貯水タンクから汲み出された前記被処理液は、前記第一開口部より前記筐体の前記中空部に導かれると共に、前記中空部内を前記ランプから放射された紫外線が照射された状態で前記第一方向に沿って移動した後、前記第二開口部から取り出されて再び前記貯水タンクに注水される構成とすることができる。
【００２２】
前記液体処理装置は、前記ランプに対して電力を供給するための電源部と、
前記漏液検知器が漏液を検知すると、前記ポンプに対して駆動を停止すると共に、前記電源部に対して放電ランプに対する電源供給を停止する制御を行う制御部とを備えるものとしても構わない。
【００２３】
このような構成とすることで、漏液検知器が漏液を検知した時点において、ランプの発光と、被処理液の注水が停止されるため、ランプの破損や被処理液への汚染を未然に防止することができる。
【発明の効果】
【００２４】
本発明によれば、保護管の破損を検知する機能を有する液体処理装置が実現される。
【図面の簡単な説明】
【００２５】
【図１】液体処理装置の一実施形態の構成を模式的に示す斜視図である。
【図２】液体処理装置の一実施形態の構成を模式的に示す正面図である。
【図３】液体処理装置の一実施形態の構成を模式的に示す平面図である。
【図４】液体処理装置の一利用態様を模式的に示すブロック図である。
【図５】液体処理装置の別の実施形態の構成を模式的に示す斜視図である。
【図６】液体処理装置の別の実施形態の構成を模式的に示す斜視図である。
【図７】従来の水処理装置の構成を示す模式的な図面である。
【図８】従来の水処理装置の構成を示す模式的な図面である。
【発明を実施するための形態】
【００２６】
本発明に係る液体処理装置の実施形態について、図面を参照して説明する。なお、以下の各図面において、図面の寸法比と実際の寸法比は必ずしも一致しない。また、以下の各図面において、説明の都合上、一部の要素の図示を省略したり、隠れている一部の要素を図示している箇所がある。
【００２７】
図１〜図３は、液体処理装置の一実施形態における模式的な図面である。図１は斜視図、図２は正面図、図３は平面図に対応する。なお、以下では、図１内に図示しているＸＹＺ座標軸を用いて説明する。図２は、図１の液体処理装置１をＹ方向に見たときの図面に対応し、図３は、図１の液体処理装置１を−Ｚ方向に見たときの図面に対応する。
【００２８】
本発明に係る液体処理装置１は、処理対象となる液体（被処理液）に対して紫外線を照射することで殺菌などの処理を行う機能を有する。
【００２９】
液体処理装置１は、ランプ３を有する。ランプ３は、紫外線を発光するように構成されている。ランプ３の発光波長は、被処理液に対する処理を行うことのできる波長であればよく、例えば、１７０ｎｍ以上３５０ｎｍ以下であれば好ましく、１９０ｎｍ以上３００ｎｍ以下であればより好ましい。このような波長の光を放射することのできるランプとしては、エキシマランプや低圧水銀ランプなどを利用することができる。
【００３０】
ランプ３はＹ方向に延伸する直管型の構造を有している。本実施形態において、Ｙ方向が「第一方向」に対応する。なお、ランプ３は、少なくとも所定の方向に延伸する部分を有していればよく、直管型であるかどうかは任意である。
【００３１】
液体処理装置１は、ランプ３の外周を取り囲むように配置された保護管５を有する。保護管はＹ方向に延伸する中空の筒形状を有しており、この内側にランプ３が内蔵されている。なお、ランプ３と保護管５との間には微小な隙間が存在し、ランプ３の交換時期において保護管５からランプ３を抜き差しできるように構成されている。
【００３２】
保護管５は、ランプ３から放射される光に対して透過性を有する材料で構成されている。一例として、保護管５は石英ガラス、サファイアガラスなどで構成される。
【００３３】
液体処理装置１は、筐体７を有する。筐体７には、Ｙ方向に延伸する孔部を有しており、この孔部内に、筒状の保護管５が内蔵されている。そして、この保護管５の内側に、上述したランプ３が内蔵されている。
【００３４】
筐体７は、上記の孔部とは別に、中空部１１を備える。中空部１１は、前記孔部の外側に配置される。すなわち、保護管５が装着されている状況においては、中空部１１は保護管５よりも外側に配置される。
【００３５】
この中空部１１は、処理対象となる被処理液の通路を構成する。筐体７は、相互に離間して配置された第一開口部２１と第二開口部２２とを有する。第一開口部２１と第二開口部２２のうち、一方の開口部が被処理液の流入口を構成し、他方の開口部が被処理液の流出口を構成する。なお、筐体７は３つ以上の開口部を有していてもよい。
【００３６】
筐体７は、紫外線に対する透過率が低く、高い耐性を有した材料が好ましい。一例として、筐体７の材料としては、ステンレスなどの金属が用いられる。
【００３７】
筐体７は、Ｙ方向に係る両端部に、蓋部（１３，１４）を備える。蓋部（１３，１４）も、筐体７と同様に、ステンレスなどの金属を用いることができる。蓋部（１３，１４）は、ランプ３及び保護管５が筐体７の内部からＹ方向に容易に抜け出すのを防止するために設けられている。なお、筐体７は、蓋部１３及び蓋部１４のうちの一方のみを備える構成であっても構わない。
【００３８】
本実施形態では、蓋部（１３，１４）の中央部分に孔部が設けられている。このため、ランプ３の交換時期に、蓋部（１３，１４）が取り付けられた状態のまま孔部を通じてランプ３の抜き差しが可能に構成されている。なお、必要に応じて孔部の内側面にはＯリングなどが設けられていてもよい。これにより、蓋部（１３，１４）と保護管５との間の隙間を限りなく狭くして保持力を高めることができる。
【００３９】
液体処理装置１は、蓋部１３の外側の面に接触したスペーサ１５、及び蓋部１４の外側の面に接触したスペーサ１６を有する。スペーサ（１５，１６）は、蓋部（１３，１４）よりも熱伝導率の低い材料からなり、一例として樹脂で構成される。
【００４０】
液体処理装置１は、スペーサ１５に接触した漏液検知器１７、及びスペーサ１６に接触した漏液検知器１８を備える。本実施形態では、漏液検知器１７は蓋部１３には直接的には接触しないように配置されている。同様に、漏液検知器１８は蓋部１４には直接的には接触しないように配置されている。
【００４１】
本実施形態において、漏液検知器（１７，１８）はライン状のセンサで構成されている。ここでは、一例として、漏液検知器（１７，１８）がＵ字形状を有する場合が図示されている。漏液検知器（１７，１８）は、図４を参照して後述されるように、漏液検知器（１７，１８）に液体が接触すると、ラインで接続された制御部においてその旨の信号が生成される。
【００４２】
図４は、本実施形態の液体処理装置１の利用態様を模式的に示すブロック図である。なお、図４では、ランプ３に対して電力を供給するための電源部４７、及び漏液検知器（１７，１８）が漏液を検知したことを認識して所定の制御信号を生成する制御部４８が図示されている。
【００４３】
図４において、タンク４０には処理対象としての被処理液（例えば、水）が貯液されている。タンク４０からポンプ４１によって引き出された被処理液は、第一開口部２１を介して筐体７の内部に導かれ、筐体７内を移動した後、第二開口部２２から流出される。筐体７内を移動中に、ランプ３から放射された紫外線が照射されることで、被処理液に対して紫外線処理が施される。処理後の液体は、第二開口部２２から取り出された後、再びタンク４０内へ注水される。このループが複数回繰り返されることで、被処理液に対する処理（例えば殺菌）が行われる。なお、図４には、被処理液の通流を停止するための電磁弁（４３，４５）が図示されている。
【００４４】
上記のような処理中に、仮に保護管５にヒビが入ったり、破損した場合について検討する。このとき、筐体７内に存在する液体は、保護管５内のヒビや破損部を通じて保護管５の内側に達する。上述したように、保護管５は中空の筒形状を有しており、その中空部にランプ３が内蔵されている。このため、ランプ３と保護管５の間の隙間に被処理液が流れ込むことが想定される。
【００４５】
ランプ３と保護管５の隙間に達した被処理液は、ランプ３の外側面に沿ってＹ方向に移動し、やがて端部に設けられた蓋部（１３，１４）に達する。蓋部（１３，１４）にはランプ３の交換のための孔部が存在することから、この孔部に由来する隙間が不可避的に存在し、この隙間を通じて蓋部（１３，１４）の外側に流出する。このとき、漏液検知器（１７，１８）は液体の存在を検知する。
【００４６】
制御部４８は、漏液検知器（１７，１８）が液体の存在を検知すると、電源部４７に対してランプ３への電源供給を停止する制御を行ったり、ポンプ４１の駆動を停止する制御を行う。なお、制御部４８は、電磁弁４３を閉じる制御を行ってもよい。このような制御が行われることで、漏液検知器（１７，１８）によって被処理液の漏れ出しが確認された後、直ちに、被処理液への処理を停止させることができる。
【００４７】
これにより、被処理液がランプ３に接触することで、ランプ３が破損したり、ランプ３の表面に付着している不純物が被処理液に混入して汚染されるリスクを低下させることができる。
【００４８】
なお、上記の実施形態では、漏液検知器（１７，１８）が、スペーサ（１５，１６）に接触して配置される構成である。このため、蓋部（１３，１４）が結露したことで生じた水滴を漏液検知器（１７，１８）が検知することで、保護管５の損傷を誤検知するというおそれを低下させることができる。
【００４９】
［別実施形態］
以下、別実施形態につき説明する。
【００５０】
〈１〉  上記実施形態では、漏液検知器１７は、スペーサ１５を介して蓋部１３に配置されているものとして説明したが、スペーサ１５を備えずに蓋部１３に対して直接配置されていても構わない（図５参照）。漏液検知器１７によって、蓋部１３の面における結露を検知するおそれがほとんどないような利用環境においては、図５に示すような構成であっても、保護管５の損傷を正しく検知することが可能である。
【００５１】
〈２〉  漏液検知器（１７，１８）の配置時の形状は、任意である。また、開口部（２１，２２）の開口の向きについても任意である。図６に、別実施形態の液体処理装置１の模式的な斜視図を示す。
【００５２】
図１に示す液体処理装置１では、漏液検知器１７は、Ｘ方向及びＹ方向に沿った部分を有するＵ字型の構成であった。これに対し、図６に示す液体処理装置１においては、漏液検知器１７がＸ方向に沿ったＩ字型のセンサで構成されている。ただし、漏液検知器１７を蓋部１３から外れにくくするという観点において、図１に示すＵ字型の方が好ましい。
【００５３】
また、図１に示す液体処理装置１では、開口部（２１，２２）はＸ方向に開口する構成であった。これに対し、図６に示す液体処理装置１のように、開口部（２１，２２）をＺ方向に開口する構成としても構わない。
【００５４】
なお、上記の実施形態において、第一開口部２１と第二開口部２２の開口の方向を同じとしたが、異なる方向に開口していても構わない。例えば、第一開口部２１がＺ方向に開口し、第二開口部２２がＸ方向に開口するような態様でも構わない。
【００５５】
また、第一開口部２１と第二開口部２２の、筐体７における配置箇所についても、同一側である必要はない。例えば、図１に示す液体処理装置１では、ランプ３の位置に対して、第一開口部２１及び第二開口部２２の双方が、−Ｘ方向に変位した位置に配置されているが、第一開口部２１をランプ３の位置に対して−Ｘ方向に変位した位置に配置し、第二開口部２２をランプ３の位置に対して＋Ｘ方向に変位した位置に配置してもよい。
【００５６】
〈３〉  上記の実施形態では、保護管５の外周を取り囲むように筐体７に設けられた中空部内を被処理液が移動するものとして説明した。しかし、液体処理装置１は、ランプ３から放射され、保護管５を透過した紫外線が被処理液に照射可能な態様であればよく、中空部の位置や形状は限定されない。
【００５７】
〈４〉  上記の実施形態では図示していないが、蓋部（１３，１４）の外側に、蓋部（１３，１４）を覆う別の部材が設けられていても構わない。
【００５８】
〈５〉  上記の実施形態では、液体処理装置１がＹ方向に係る両端に漏液検知器（１７，１８）が設けられているものとしたが、少なくとも一方の端部に設けられているものとしても構わない。スペーサ（１５，１６）についても同様である。
【符号の説明】
【００５９】
１      ：    液体処理装置
３      ：    ランプ
５      ：    保護管
７      ：    筐体
１１      ：    中空部
１３，１４      ：    蓋部
１５，１６      ：    スペーサ
１７，１８      ：    漏液検出器
２１      ：    第一開口部
２２      ：    第二開口部
４０      ：    タンク
４１      ：    ポンプ
４３，４５      ：    電磁弁
４７      ：    電源部
４８      ：    制御部
９０      ：    従来の水処理装置
９１      ：    処理筒
９２      ：    紫外線ランプ
９３      ：    透過筒
９４      ：    流路
９５      ：    仕切り板
９８      ：    流入管
９９      ：    流出管
【図１】
2018043182.tif 000003
【図２】
2018043182.tif 000004
【図３】
2018043182.tif 000005
【図４】
2018043182.tif 000006
【図５】
2018043182.tif 000007
【図６】
2018043182.tif 000008
【図７】
2018043182.tif 000009
【図８】
2018043182.tif 000010